(57)【要約】【課題】側溝蓋版の手掛け溝部が狭く、設置クリアランスが小さい場合でも、蓋版の脱着作業や運搬作業を容易に行うことができるものを提供する。【解決手段】側溝蓋版の相対する２側面に当接して蓋版を挟着保持可能な挟着装置を有する側溝蓋版着脱機において、前記挟着装置は、一対のアーム部から構成され、このアーム部の一端側は相互にそれぞれ回動自在に連結され、前記アーム部の他端には板状の当接部材を鍬状に取り付け、前記アーム部の当接部材寄りに把持部を備えるとともに、アーム部の下方側に、滑動可能な支持部材を少なくとも２つ以上有することを特徴とする側溝蓋版着脱機。【選択図】図８
2005139818.tif 000002
【特許請求の範囲】
【請求項１】
側溝蓋版の相対する２側面に当接して蓋版を挟着保持可能な挟着装置を有する側溝蓋版着脱機において、前記挟着装置は、一対のアーム部から構成され、このアーム部の一端側は相互にそれぞれ回動自在に連結され、前記アーム部の他端には板状の当接部材を鍬状に取り付け、前記アーム部の当接部材寄りに把持部を備えるとともに、アーム部の下方側に、滑動可能な支持部材を少なくとも２つ以上有することを特徴とする側溝蓋版着脱機。
【請求項２】
車輪によって走行可能なフレームに、前記挟着装置を懸架状に取り付けたことを特徴とする請求項１に記載の側溝蓋版着脱機。
【発明の詳細な説明】
【技術分野】
【０００１】
本発明は、側溝蓋版の着脱や移動が容易な側溝蓋版着脱機に関するものである。
【背景技術】
【０００２】
従来のこの種の装置は、以下のような装置が考案されている。特開平８−１３５２６号公報には、蓋の相対する２側面に当接して蓋を保持する一対の保持部材とその保持部材の間隔を変位させる駆動手段とを備えた蓋把持機が開示されている。
【０００３】
また、特開平８−５３８７５号公報には、台車上に配設されたジャッキと、このジャッキの上端に固定された水平吊り杆と、該水平吊り杆の両端部に連結された一対の吊り具とから構成され、該吊り具のフックをコンクリート蓋の両端部に係止させ、前記ジャッキを作動することによって蓋を側溝から脱着させる側溝用蓋の着脱装置が開示されている。
【０００４】
更に、特開平８ー２２５１２３号公報には、側溝蓋の左右に設けられた凹部内に一対の係止片を挿入して該側溝蓋を係止するとともに、テコの原理を利用して側溝を持ち上げ、車輪によって移動させることができる側溝蓋の開閉具が開示されている。
【０００５】
一方、最近はバリアフリー化やユニバーサルデザインの思想を反映した製品が多数採用されはじめている。
住環境や道路環境で採用されているユニバーサルデザインの代表的手法は、歩行空間の改善策に多数認められている。その主なものは歩行時の歩き易さや車椅子の通行のし易さに配慮したもので、利便性と安全性を高める目的で行われている。
具体的には、歩行時の躓きや滑りを防止したり車椅子の通行を容易にするため、床や路面の段差を小さくしたり、緩傾斜状に擦り付けたり、滑り止めの工夫をしたものなどである。道路環境においては車椅子やベビーカーの車輪、杖、並びにハイヒールのひっかかりを防止するために側溝のグレーチングの溝幅を小さくしたり、側溝用ブロックの蓋版の手掛け溝や集水溝の幅を狭くする等が行われている。
【０００６】
また、最近はこの種の道路用コンクリート製品、土木用コンクリート製品は公共事業の予算縮小から製品や施工の合理化が進み、特に施工の時間短縮を目的とした小型製品の大型化、長尺化が図られている。
こうしたなかで、縁石ブロックなども長尺化され、側溝ブロックの蓋版においても一部で長尺化が始っている。
【０００７】
以上のような事情により、図１に示す如く側溝ブロック蓋版の手掛け溝部の隙間寸法は従来のものが２０〜３０ｍｍ程度であったのに対して、最近は図２に示す如く１０ｍｍ程度まで小さくなりはじめている。蓋版の長さも１ｍ程度まで長尺化され始め、その重量も以前より増加し、従来の蓋版着脱機での対応が困難なものとなっている。
【０００８】
従来の蓋版着脱に関する装置は次のようなものが考案されている。
例えば、特開平８−２２５１２３号は、後端部に握り部が形成され、先端部寄りの部位を鈍角に曲げられたアームと、このアームの先端部にＴ字状となるように固定された支持バーと、この支持バーに伸縮可能に取り付けられた側溝蓋を係止する係止片を先端部に有する一対の伸縮バーと、アームの先端部寄りで該アームの後瑞部を下方へ押し付けることにより、支持バーを上方へ回動させることができる部位に取り付けられた車輪と、アームの後端部寄りの部位に取り付けられたレバーの操作によって、一対の伸縮バーを縮小する方向にスライド移動させる伸縮バー作動機構とで側溝蓋の開閉具を構成している。
この係止片の可動範囲は従来の蓋版手掛け部の隙間寸法では充分な可動範囲が得られたため、その効果を奏することができたが、手掛け溝部の隙間寸法が１０ｍｍ程度まで狭くなると、係止片の可動範囲がその隙間寸法内に制限されて、手掛け溝部への挿入が非常に困難なものとなる。係止片の蓋版裏側への掛かりしろが数ｍｍ程度と非常に小さくせざるを得ず、蓋版保持における安定性が損なわれる。更に長尺化され重量が増加した蓋版においては、より不安定さを招くという課題がある。
【０００９】
特開２００１−８０８７２号は、油圧ジャッキによって上昇駆動される支持体と、該支持体の中央部に対し両側の位置に設けた水平方向の軸と、上部が前記水平軸に支持され、下端に内向き爪を有する一対の揺動アームとを有し、前記の支持体は、鉛直方向の軸を中心に回動して、前記内向き爪によって蓋版を保持するものとなっている。この場合も上述した特開平８−２２５１２３号と同様の課題を生ずる。
【００１０】
これらのことから、蓋版手掛け部の隙間が狭いものに対しては、蓋版着脱機の機構は、蓋版の対向する２側面を挟着して保持するタイプの蓋版着脱機がもっとも機構がシンプルでこの種の装置に適している。この種の挟着部材は、厚さの薄い板状の蓋版当接部材を有しており、狭い手掛け部への挿入が上記のものに較べて容易である。
【００１１】
蓋版を板材で挟着するものとしては、特開平８−１３５２６号がある。これは蓋の相対する二側面に当接されて蓋を保持する少なくとも一対の保持部材と、これらを蓋把持方向およびその逆方向に変位させる駆動手段とを備えた蓋版把持機を構成し、一対の保持部材のうち少なくとも一方を、蓋の側面の表側端縁部に当接可能な第一当接部と蓋の側面の裏側端縁部に当接可能な第二当接部とを有する二位置当接保持部材とし、蓋をその側面の表側端縁部および裏側端縁部の二位置で保持するようにしたものであるが、構造と使い方が複雑である。実務上の使用者である施工業者や側溝の維持管理を行う者が蓋版着脱機に求める機能は、軽量であること、部品点数が少なく機構がシンプルであること、使用方法が誰でもわかりやすいことなどが挙げられる。
【００１２】
特開２００２−２５５３２３号には、挟着タイプの吊り金具の記載がある。図３にこの種の例を示した。この種の吊り金具は、構造がシンプルで誰でも使い方がわかりやすいという利点がある。然し、蓋版の長さが１ｍ程度と大きなものになると蓋版の重量が増加し、吊り金具もその重量に耐え得るように剛性を高めなければならない。また、剛性の増加にともなって吊り金具の重量も増加するため手動による操作性が低下する。
【００１３】
操作性に関して各図に基づいて説明する。重量の増加した吊り金具は、その重量のため挟着部を狭い蓋版手掛け溝に挿入するのが困難になる。図３はこの種の吊り金具の例を示したもので、図４に示す如くこの種の吊具は一対のアーム部が軸部に回動自在に連結された構成となっている。挟着部の可動範囲は軸部を中心に円弧状の回動範囲に限定され、挟着部間の距離は前記円弧状の角度によって変化する。詰り、蓋版の手掛け溝部に挟着装置の一対の当接部材を同時に差し込む場合、円弧角度を一定に固定して、蓋版の挟着面間の距離と一致させる必要がある。何れにしても１ｍ以上の長さの蓋版において、距離の離れた２つの当接部材を同時に狭い手掛け溝部に挿入することは、側溝蓋版の寸法許容差などこの種コンクリート製品の寸法精度を考慮すると非常に難しい。さらに長さが増加した蓋版に対しては、その長さの増加に伴って重量も増加しているため、挟着装置についても従前のもの以上に、それ相応の機械的強度が求められ、それに伴って挟着装置の重量も増加するので人力での作業性が低下する。
【００１４】
図５は、一対の当接部材をそれぞれ順に挿入する場合の例を示したものである。まず、一方の当接部材を挿入し、次にもう一方の当接部材を挿入する。このとき、後から挿入する方の当接部材は最初に挿入した当接部材の位置によって挿入位置が変化する。
詳述すると、最初に挿入した当接部材が蓋版から離れた位置にある場合、もう一方の当接部材は蓋版に近接するか蓋版上面に接触する。図６に示すように、最初に挿入した当接部が蓋版に接している場合は、もう一方の当接部は蓋版の相対する側面側において蓋版から離れ気味に位置するか、隣接する蓋版や門型側溝ブロックの場合には側溝ブロック本体の上部耐力梁上面に接触する。いずれの場合も後から挿入する当接部材の挿入位置を適当にずらして調節する必要がある。
【００１５】
然し、この場合、重量のある挟着装置では当接部材を挿入する際の微調整がその重量のため上手く行うことが難しいなどの課題がある。
【特許文献１】特開平８−５３８７５号公報
【特許文献２】特開平８ー２２５１２３号公報
【特許文献３】特開２００１−８０８７２号公報
【特許文献４】特開平８−１３５２６号公報
【特許文献５】特開２００２−２５５３２３号公報
【発明の開示】
【発明が解決しようとする課題】
【００１６】
解決しようとする問題点は、挟着装置を有する蓋版着脱機において、蓋版の手掛け溝部の隙間寸法が小さく、挟着する蓋版の相対する２側面の距離が遠い場合、当接部材の蓋版へのセットが困難になるとともに、長尺化された蓋版の場合、蓋版の重量も増加することから、挟着装置も大きく重くなって、より挟着装置のセット作業が困難で、容易に蓋版を着脱できない点である。
【課題を解決するための手段】
【００１７】
本願発明のものは、当接部材を蓋版手掛け溝部に挿入する際に、挟着装置のアームの下部に滑動可能な支持部材を取り付けてあるため、滑動可能な支持部材が挟着装置の重量を支えると共に蓋版上を滑動するため、把持部を持って前後に揺動するときにこれまでになく軽い動作で揺動させることができることを最も主要な特徴とするものであって、次のようなものである。
【００１８】
（１）側溝蓋版の相対する２側面に当接して蓋版を挟着保持可能な挟着装置を有する側溝蓋版着脱機において、前記挟着装置は、一対のアーム部から構成され、このアーム部の一端側は相互にそれぞれ回動自在に連結され、前記アーム部の他端には板状の当接部材を鍬状に取り付け、前記アーム部の当接部材寄りに把持部を備えるとともに、アーム部の下方側に、滑動可能な支持部材を少なくとも２つ以上有することを特徴とする側溝蓋版着脱機。
【００１９】
（２）車輪によって走行可能なフレームに、前記挟着装置を懸架状に取り付けたことを特徴とする前記（１）項に記載の側溝蓋版着脱機。
【発明の効果】
【００２０】
本発明の蓋版着脱機は、蓋掛け部の隙間寸法が狭く、蓋版の相対する２側面の距離が遠く、挟着装置の重量が増加しても、軽い操作で蓋版にセットできるという利点がある。
【発明を実施するための最良の形態】
【００２１】
本発明の実施の態様例を各図に基づき説明する。
【実施例１】
【００２２】
図７乃至図１１は、本発明の実施例であって、１はアーム部、２は当接部材、３は滑動可能な支持部材、４はリング、５は把持部である。図８は図７に示したものの斜視図面であり、滑動可能な支持部材を円柱形状としたものである。
【００２３】
図１２は、本発明のものによる蓋版の着脱時の操作挙動を示したものである。アーム部の一方の把持部を持ち、やや上方に持ち上げ前後に揺動させて、もう一方のアーム部の先端に設けられた挟着部を手掛け溝部に合わせて落とし込む。次にもう一方の挟着部も手掛け溝部に合わせて、先と同様にアーム部を前後に揺動させて落とし込む。
【００２４】
アーム部を前後に揺動する際、アーム部の重量はアーム部下方に接合された滑動可能な支持部材が支持し、さらに滑動可能な支持部材が例えば図７および図８に示したような円柱状部材の場合は、その円弧性によって、前後揺動時の摩擦抵抗を低減する。滑動可能な支持部材は円柱状部材に限らず図９に示したそり状のものや図１０及び図１１に示した車輪状のものに変えても良い。要するにアーム部の重量を受け持ち、水平方向の摩擦を低減できるものであれば良い。また、車輪にゴムや合成樹脂製のタイヤ状のものを利用することで蓋版にキズが付くのを防止することができる。また、滑動可能な支持部材の幅を広げることで挟着装置の安定性を高めることができる。
【００２５】
図１３は、当接部材の実施例である。当接面の下方に段差を設けることでひっかかりができ、蓋版保持の挟着力を補って蓋版落下に対する安全性をより高めることができる。また当接面をザラザラにしても良い。要するに当接部材の当接面の摩擦を増加させる形状のものであれば良く、ゴムやウレタンなど合成樹脂を当接面に取り付けるとゴムの摩擦が得られると共に蓋版に傷が付くのを防止するのに好ましい。
【００２６】
図１４は、本発明のものの吊り上げ方法の実施例である。リング部材に把持部を備えたバーを挿入し、バーの両端を持つことで蓋版を脱着させるものである。バーの把持部に鍔や、滑り止めや掴み易さを高めるための合成樹脂製グリップを設けても良い。
【００２７】
図１５は、本発明のものの吊り上げ方の実施例である。リング部材にフックを通してクレーン等で持ち上げても良い。
【００２８】
図１６は、車輪によって走行可能なフレームに挟着装置を取り付けた実施例である。クレーンなどの重機を使用せずに、車輪を軸にテコの原理によって楽に蓋版の脱着ができる。挟着装置は旋回自在に懸架されているため、フレームの上げ下げの角度によらず、重力によって蓋版を水平に保つことができる。
【００２９】
図１７は、アーム部の開きを固定し挟着部間隔を一定に保つための係止部を設けたものである。係止部にフックを引っ掛けてアーム部の開きを固定する。
【産業上の利用可能性】
【００３０】
更に長尺化された蓋版においても、挟着部材の挿入が楽に行える。また、蓋版に限らず、頂版や板材、グレーチングにも同様に適用できる。
【図面の簡単な説明】
【００３１】
【図１】従前の側溝ブロックと蓋版
【図２】長尺化および手掛け溝の狭い蓋版
【図３】従前の代表的な蓋版着脱機
【図４】従前の代表的な蓋版着脱機の可動範囲
【図５】従前の代表的な蓋版着脱機のセット方法
【図６】従前の代表的な蓋版着脱機のセット方法
【図７】本願発明の蓋版着脱機の一例
【図８】本願発明の蓋版着脱機の一例
【図９】本願発明の蓋版着脱機の一例
【図１０】本願発明の蓋版着脱機の一例
【図１１】本願発明の蓋版着脱機の一例
【図１２】本願発明の蓋版着脱機のセット方法
【図１３】当接部の形状の例
【図１４】本願発明の蓋版着脱機の使用例
【図１５】本願発明の蓋版着脱機の使用例
【図１６】本願発明の蓋版着脱機の使用例
【図１７】アーム部の係止機構
【符号の説明】
【００３２】
１    アーム部
２    蓋版当接部
３    滑動可能な支持体
４    リング、フック
５    把持部
６    蓋版
７    バー
８    鍔
９    フック
１０  車輪によって走行可能なフレーム
１１  蓋版当接部
１２  ゴム、ウレタン樹脂
１３  アーム固定具
【図１】
2005139818.tif 000003
【図２】
2005139818.tif 000004
【図３】
2005139818.tif 000005
【図４】
2005139818.tif 000006
【図５】
2005139818.tif 000007
【図６】
2005139818.tif 000008
【図７】
2005139818.tif 000009
【図８】
2005139818.tif 000010
【図９】
2005139818.tif 000011
【図１０】
2005139818.tif 000012
【図１１】
2005139818.tif 000013
【図１２】
2005139818.tif 000014
【図１３】
2005139818.tif 000015
【図１４】
2005139818.tif 000016
【図１５】
2005139818.tif 000017
【図１６】
2005139818.tif 000018
【図１７】
2005139818.tif 000019